(57)【要約】      （修正有）【課題】介護者のみならず着用する要介護者自身でも容易にスライドファスナを開閉でき、着脱する場合の自由度が高まるような介護用寝衣を提供する。【解決手段】要介護者の身体を筒状体で覆うことによって着用するもので、筒状体の長手方向に沿って設けたスライドファスナのスライダの移動により少なくとも一部を展開して着脱可能としたものであって、スライドファスナのスライダに無端状の開閉操作用線状体、及びスライドファスナの側方に沿って該線状体を移動可能に支持するガイドを備える。【選択図】図２
0003131103.tif 000002
【実用新案登録請求の範囲】
【請求項１】
要介護者の身体を筒状体で覆うことによって着用するもので、該筒状体の長手方向に沿って設けたスライドファスナのスライダの移動により少なくとも一部を展開して着脱可能としたものであって、該スライドファスナのスライダに無端状の開閉操作用線状体、及び該スライドファスナの側方に沿って該線状体を移動可能に支持するガイド、を備えたことを特徴とする介護用寝衣。
【請求項２】
スライドファスナは、裾部分や袖口部分を残して開閉する請求項１記載の介護用寝衣。
【請求項３】
寝衣本体の外面側に、脱いだときにベッド上に保持するための面ファスナを設けた請求項１又は２記載の介護用寝衣。
【請求項４】
面ファスナは、スライドファスナで展開して広げられる部分に設けた請求項３記載の介護用寝衣。
【考案の詳細な説明】
【技術分野】
【０００１】
本考案は、高齢者、病気や怪我などにより支援を必要とする要介護者などが、簡単に着脱できるようにした介護用寝衣の改良に関するものである。
【背景技術】
【０００２】
人が生活する上で最も身近な行為が排泄の問題であり、健康的な生活を送る上で体を清潔に保つことも欠かすことができない。このような行為は、要介護者にとって肉体的にも精神的にもかなりの負担であり、介護する側にとっても肉体的負担が大きく関わってくる。
【０００３】
日常的な介護においては、着やすく且つ脱ぎやすい寝衣を着用させることが基本的な要件となる。このことは、介護者のみならず要介護者にとっても極めて重要な点である。要介護者にとっては、無理な姿勢を強いられずに寝衣を着脱できることや、できるだけ介護者に頼らずに自身で寝衣を着脱できることが望まれるためである。
【０００４】
このような要介護者用寝衣としては種々の形態のものがあり、例えば特許文献１に示す介護用寝衣のように、身体を筒状体で覆うことによって着用する寝衣の前身頃や袖部分などを面ファスナで接合して展開可能とすることにより、着脱容易にしたものがある。このような構造により、袖を通すとか穿くという動作から解放され、ほとんど寝た状態のままでも寝衣の着脱を行うことができ、介護者や要介護者にとっての負担がかなり軽減されることになる。
【特許文献１】実用新案登録第３０４４２３９号
【考案の開示】
【考案が解決しようとする課題】
【０００５】
しかしながら、上述した特許文献１のような寝衣は介護者側にとっては着脱しやすくなったと言えるが、要介護者にとっては自身で着脱しようとする場合かなり無理な姿勢をとらざるを得ないのが実情であった。つまり、面ファスナで展開可能に接合していても、襟から袖口まで、胸元から足首まで手を動かして開閉する必要があり、手足の不自由な要介護者にとっては到底不可能となる。このため、要介護者は依然としてほとんど全ての行為について介護者に委ねざるを得ず、介護者に頼ることなくできる達成感、プライバシーやプライドをも失ってしまうことに繋がる。
【課題を解決するための手段】
【０００６】
以上のような状況に鑑み、本考案者は鋭意研究の結果本考案を完成したものであり、その特徴とするところは、要介護者の身体を筒状体で覆うことによって着用するもので、該筒状体の長手方向に沿って設けたスライドファスナのスライダの移動により少なくとも一部を展開して着脱可能としたものであって、該スライドファスナのスライダに無端状の開閉操作用線状体、及び該スライドファスナの側方に沿って該線状体を移動可能に支持するガイド、を備えたことにある。
【０００７】
ここで本明細書中でいうところの「筒状体」とは、からだや手足を包み込んで覆うように着用する部分であり、上衣の見頃や袖、ズボンやスカートなどを指す。上衣とズボンやスカートなどは、一体型でもよく別体でもよい。
【０００８】
本考案においては、筒状体部分の長手方向に沿ってスライドファスナを設けることにより、一部を残して展開できる構造としている。一部を残すのは、スライドファスナを完全に開けてしまうと、閉じるときの操作がかなり難しくなるためである。これにより、スライドファスナのスライダの往復移動だけで筒状体の開閉操作を容易にすることができる。
【０００９】
「線状体」とは、スライドファスナのスライダに設けることによって該スライダを往復移動させる無端状の部材をいう。線状体をスライドファスナの側方に沿って設けた「ガイド」に移動可能に支持することにより、手をあまり動かすことなく、ほぼ一定の位置でスライダをスライドファスナの全域に渡って移動させることが可能となる。
【００１０】
「ガイド」は、スライドファスナの側方にほぼ同じ長さに設けることで、線状体によるスライダの開閉移動を可能にする。例えば、スライドファスナを開けるときは、線状体をガイドから順次繰り出すようにして引き出すことで、スライダを開ける方向に引っ張ることができる。逆にスライドファスナを閉めるときは、線状体でスライダを直接引っ張ればよく、スライドファスナの全域に渡って手を移動させることなく開閉することができる。ガイドの形状は、パイプ状やフック状で、線状体をあまり露出させることなくガイドするものであればよい。
【００１１】
「面ファスナ」は、脱いだ寝衣本体をベッド上に保持するものをいう。介護用のベッドには、起き上がったり反転する構造のものがあるため、要介護者がトイレや入浴などで寝衣を脱いで移動した後、ベッドに戻って来たときに寝衣を同じ位置に保持しておくことで着用しやすくするためである。面ファスナを寝衣に設ける位置は特に限定するものではないが、スライドファスナを開いて寝衣が展開する箇所に設けることで、着用しやすくなり、しかも着用時に邪魔になりにくくなる。
【考案の効果】
【００１２】
本考案に係る介護用寝衣は、上述した形状及び構造にしたことにより、介護者のみならず着用する要介護者自身でも容易にスライドファスナを開閉でき、着脱する場合の自由度が高まる利点がある。特に、要介護者にとって寒暖に応じて寝衣の開閉状態を任意に調整できることや、トイレや入浴等に関して介護者に頼ることなく任意に行動できるようになる実用上極めて有益な効果を有するものである。
【考案を実施するための最良の形態】
【００１３】
本考案は、寝衣の着脱時に開閉するスライドファスナのスライダに無端状の開閉操作用線状体、及び該スライドファスナの側方に沿って該線状体を移動可能に支持するガイドを設けたことにより、上記課題を解決した。
【実施例１】
【００１４】
図１は、本考案に係る介護用寝衣１の一実施例を示すもので、要介護者が着用する寝衣であって、（ａ）は上下を一体にしたもので、（ｂ）はスカート状のものである。これらは、着脱を容易にするため筒状体部分にスライドファスナ２を設けることによって、開放できるようにしている。
【００１５】
特に、本考案においてはスライドファスナ２のスライダ２１に線状体として無端状の細線ワイヤ３を設けると共に、該スライドファスナ２の側方に該細線ワイヤ３を案内するガイド４を設けている。この構造により、細線ワイヤ３の操作でスライドファスナ２の開閉を可能としている。
【００１６】
先ず、スライダ２１を少し降ろしたり、スライダ２１の下側の細線ワイヤ３を引っ張ることで、図２に示す位置迄スライダ２１を移動させて開く。この状態でスライダ２１の上側の細線ワイヤ３を少しずつ引き下げるだけで、スライダ２１を下側まで降ろすことができ、全て開放することができる。これにより、僅かな手の動きだけでスライドファスナ２を全開・全閉することができるため、手の不自由な要介護者でも自身で寝衣の着脱が可能となる。
【実施例２】
【００１７】
図３（ａ）（ｂ）（ｃ）は、本考案に係る介護用寝衣１の他の例を示すもので、寝衣本体の表面側に面ファスナ５を設けたものである。本例では、スライドファスナ２を開けて寝衣１を展開して広げられる箇所に面ファスナ５を設けている。これは、寝衣１を脱いだ状態に保持することで着用しやすくするためである。また、起き上がったりする介護用ベッドから寝衣が落ちてしまうことを防止できることにもなる。
【図面の簡単な説明】
【００１８】
【図１】（ａ）（ｂ）は、それぞれ本考案に係る介護用寝衣の一実施例を示す正面図である。（実施例１）
【図２】本考案に係る介護用寝衣におけるスライドファスナの開閉状態を示す部分正面図である。
【図３】（ａ）（ｂ）（ｃ）は、それぞれ本考案に係る介護用寝衣の他の実施例を示す正面図である。（実施例２）
【符号の説明】
【００１９】
１  介護用寝衣
２  スライドファスナ
２１  スライダ
３  細線ワイヤ
４  ガイド
５  面ファスナ
【図１】
0003131103.tif 000003
【図２】
0003131103.tif 000004
【図３】
0003131103.tif 000005